【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
第１の画像のフレームレートである第１のフレームレートを第２のフレームレートに変更することによって、第２の画像を生成する生成手段と、
前記第２の画像と、前記第１のフレームレートを示す情報を含む所定のデータとを受信装置に送信するための通信を行う通信手段と
を有することを特徴とする通信装置。
【請求項２】
前記所定のデータは、前記第２の画像に関するファイル名を示す情報を含むことを特徴とする請求項１に記載の通信装置。
【請求項３】
前記所定のデータは、前記第２の画像に含まれる各フレームに関するタイムコードを示す情報を含むことを特徴とする請求項１または２に記載の通信装置。
【請求項４】
前記所定のデータは、前記第２の画像に関する色の情報を含むことを特徴とする請求項１から３のいずれか１項に記載の通信装置。
【請求項５】
前記所定のデータは、前記第２の画像の白のレベルを示す情報と、前記第２の画像の黒のレベルを示す情報とを含むことを特徴とする請求項１から４のいずれか１項に記載の通信装置。
【請求項６】
前記所定のデータは、前記第２の画像の白のレベルと前記第２の画像の黒のレベルとの範囲に関する情報を含むことを特徴とする請求項１から５のいずれか１項に記載の通信装置。
【請求項７】
前記所定のデータは、前記第１の画像のフォーマットが、インターレースフォーマットまたはプログレッシブフォーマットであることを示す情報を含むことを特徴とする請求項１から６のいずれか１項に記載の通信装置。
【請求項８】
前記所定のデータは、前記通信装置から送信された前記第２の画像を前記受信装置に編集させるために用いられることを特徴とする請求項１から７のいずれか１項に記載の通信装置。
【請求項９】
前記所定のデータは、前記第２の画像から前記第１の画像を前記受信装置に生成させるために用いられることを特徴とする請求項１から８のいずれか１項に記載の通信装置。
【請求項１０】
前記通信手段は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格、ＭＨＬ（Ｍｏｂｉｌｅ  Ｈｉｇｈ−ｄｅｆｉｎｉｔｉｏｎ  Ｌｉｎｋ）規格、Ｄｉｓｐｌａｙｐｏｒｔ規格、ＤＶＩ（Ｄｉｇｉｔａｌ  Ｖｉｓｕａｌ  Ｉｎｔｅｒｆａｃｅ）規格及びイーサネットの少なくとも一つに基づいて、通信を行うことを特徴とする請求項１から９のいずれか１項に記載の通信装置。
【請求項１１】
前記通信手段は、無線通信を行うことを特徴とする請求項１から９のいずれか１項に記載の通信装置。
【請求項１２】
請求項１から１１のいずれか１項に記載の通信装置と通信を行う受信装置であって、
前記通信装置から送信される前記第２の画像と前記所定のデータとを用いて生成された画像を記録媒体に記録する記録手段と、
前記記録媒体に記録されている画像を表示する表示手段と
を有することを特徴とする受信装置。
【請求項１３】
第１の画像のフレームレートである第１のフレームレートを第２のフレームレートに変更することによって、第２の画像を生成するステップと、
前記第２の画像と、前記第１のフレームレートを示す情報を含む所定のデータとを受信装置に送信するための通信を行うステップと
を有することを特徴とする方法。
【請求項１４】
第１の画像のフレームレートである第１のフレームレートを第２のフレームレートに変更することによって、第２の画像を生成するステップと、
前記第２の画像と、前記第１のフレームレートを示す情報を含む所定のデータとを受信装置に送信するための通信を行うステップと
をコンピュータに実行させるためのプログラム。
【請求項１５】
第１の画像のフレームレートである第１のフレームレートを第２のフレームレートに変更することによって、第２の画像を生成するステップと、
前記第２の画像と、前記第１のフレームレートを示す情報を含む所定のデータとを受信装置に送信するための通信を行うステップと
をコンピュータに実行させるためのプログラムを格納する記録媒体。
【請求項１６】
所定の通信プロトコルに基づいて送信可能な画像に変更するための変更処理を第１の画像に対して行うことによって、第２の画像を生成する生成手段と、
前記所定の通信プロトコルに基づいて、前記第２の画像と、前記第１の画像に関する情報を含む所定のデータとを受信装置に送信するための通信を行う通信手段と
を有することを特徴とする通信装置。
【請求項１７】
前記所定のデータは、前記第２の画像に関するファイル名を示す情報を含むことを特徴とする請求項１６に記載の通信装置。
【請求項１８】
前記所定のデータは、前記第２の画像に含まれる各フレームに関するタイムコードを示す情報を含むことを特徴とする請求項１６または１７に記載の通信装置。
【請求項１９】
前記所定のデータは、前記第２の画像に関する色の情報を含むことを特徴とする請求項１６から１８のいずれか１項に記載の通信装置。
【請求項２０】
前記所定のデータは、前記第２の画像の白のレベルを示す情報と、前記第２の画像の黒のレベルを示す情報とを含むことを特徴とする請求項１６から１９のいずれか１項に記載の通信装置。
【請求項２１】
前記所定のデータは、前記第２の画像の白のレベルと前記第２の画像の黒のレベルとの範囲に関する情報を含むことを特徴とする請求項１６から２０のいずれか１項に記載の通信装置。
【請求項２２】
前記所定のデータは、前記第１の画像のフォーマットが、インターレースフォーマットまたはプログレッシブフォーマットであることを示す情報を含むことを特徴とする請求項１６から２１のいずれか１項に記載の通信装置。
【請求項２３】
前記所定のデータは、前記通信装置から送信された前記第２の画像を前記受信装置に編集させるために用いられることを特徴とする請求項１６から２２のいずれか１項に記載の通信装置。
【請求項２４】
前記所定のデータは、前記第２の画像から前記第１の画像を前記受信装置に生成させるために用いられることを特徴とする請求項１６から２３のいずれか１項に記載の通信装置。
【請求項２５】
前記所定の通信プロトコルは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格、ＭＨＬ（Ｍｏｂｉｌｅ  Ｈｉｇｈ−ｄｅｆｉｎｉｔｉｏｎ  Ｌｉｎｋ）規格、Ｄｉｓｐｌａｙｐｏｒｔ規格、ＤＶＩ（Ｄｉｇｉｔａｌ  Ｖｉｓｕａｌ  Ｉｎｔｅｒｆａｃｅ）規格及びイーサネットの少なくとも一つに対応することを特徴とする請求項１６から２４のいずれか１項に記載の通信装置。
【請求項２６】
前記通信手段は、無線通信を行うことを特徴とする請求項１６から２４のいずれか１項に記載の通信装置。
【請求項２７】
前記所定のデータは、前記第１の画像のフレームレートを示す情報を含むことを特徴とする請求項１６から２６のいずれか１項に記載の通信装置。
【請求項２８】
請求項１６から２７のいずれか１項に記載の通信装置と通信を行う受信装置であって、
前記通信装置から送信される前記第２の画像と前記所定のデータとを用いて生成された画像を記録媒体に記録する記録手段と、
前記記録媒体に記録されている画像を表示する表示手段と
を有することを特徴とする受信装置。
【請求項２９】
所定の通信プロトコルに基づいて送信可能な画像に変更するための変更処理を第１の画像に対して行うことによって、第２の画像を生成するステップと、
前記所定の通信プロトコルに基づいて、前記第２の画像と、前記第１の画像に関する情報を含む所定のデータとを受信装置に送信するための通信を行うステップと
を有することを特徴とする方法。
【請求項３０】
所定の通信プロトコルに基づいて送信可能な画像に変更するための変更処理を第１の画像に対して行うことによって、第２の画像を生成するステップと、
前記所定の通信プロトコルに基づいて、前記第２の画像と、前記第１の画像に関する情報を含む所定のデータとを受信装置に送信するための通信を行うステップと
をコンピュータに実行させるためのプログラム。
【請求項３１】
所定の通信プロトコルに基づいて送信可能な画像に変更するための変更処理を第１の画像に対して行うことによって、第２の画像を生成するステップと、
前記所定の通信プロトコルに基づいて、前記第２の画像と、前記第１の画像に関する情報を含む所定のデータとを受信装置に送信するための通信を行うステップと
をコンピュータに実行させるためのプログラムを格納する記録媒体。
【手続補正２】
【補正対象書類名】明細書
【補正対象項目名】発明の名称
【補正方法】変更
【補正の内容】
【発明の名称】通信装置、方法、プログラム及び記録媒体
【手続補正３】
【補正対象書類名】明細書
【補正対象項目名】０００１
【補正方法】変更
【補正の内容】
【０００１】
本発明は、画像を外部に送信する通信装置等に関する。
【手続補正４】
【補正対象書類名】明細書
【補正対象項目名】０００８
【補正方法】変更
【補正の内容】
【０００８】
本発明に係る通信装置は、第１の画像のフレームレートである第１のフレームレートを第２のフレームレートに変更することによって、第２の画像を生成する生成手段と、前記第２の画像と、前記第１のフレームレートを示す情報を含む所定のデータとを受信装置に送信するための通信を行う通信手段とを有することを特徴とする。
また、本発明に係る通信装置は、所定の通信プロトコルに基づいて送信可能な画像に変更するための変更処理を第１の画像に対して行うことによって、第２の画像を生成する生成手段と、前記所定の通信プロトコルに基づいて、前記第２の画像と、前記第１の画像に関する情報を含む所定のデータとを受信装置に送信するための通信を行う通信手段とを有することを特徴とする。
【手続補正５】
【補正対象書類名】明細書
【補正対象項目名】０００９
【補正方法】削除
【補正の内容】